(57)【要約】      （修正有）【課題】構造が簡易で安価に製造可能で、田畑への薬液散布の作業負担を軽減する手動圧縮式の簡易噴射器具を提供する。【解決手段】一端に第２逆止弁９と他端にブッシュ８を設けた外管３と、一端は噴射ノズルと他端は第１逆止弁を設けた内管２を備え、内管２をその第１逆止弁から、外管３のブッシュ８側へと挿入し、外管３の入口と薬液１１入りの容器１２をホース１０で繋ぎ、外管３に対して内管２を前後に往復運動させる事で、薬液１１を吸入して噴射する手動圧縮式の簡易噴射器具１を用いて田畑への薬液散布を行う。【選択図】図１
0003147850.tif 000002
【実用新案登録請求の範囲】
【請求項１】
前端に噴射ノズル、後端に第１逆止弁を設けた内管と、
前端にブッシュ、後端に第２逆止弁を設けた外管と、
を備え、
前記ブッシュに、前記内管をその第１逆止弁側で摺動自在に連結することにより、前記内管が前記外管に対して軸方向に往復運動を行い、
前記外管から前記内管を前進させることで液体を前記外管内に吸入し、前記内管を前記外管に向かって後退させることで、前記吸入された液体を前記噴射ノズルから噴射すること、
を特徴とする、手動圧縮式の簡易噴射器具。
【請求項２】
前記内管にハンドルを設けたことを特徴とする請求項１の手動圧縮式の簡易噴射器具。
【請求項３】
前記外管と前記内管は耐薬品性のプラスチックで構成される請求項１の手動圧縮式の簡易噴射器具。
【考案の詳細な説明】
【技術分野】
【０００１】
本考案は、水田や畑に液状の農薬や肥料を散布する手動圧縮式の簡易噴射器具に関するものである。
【背景技術】
【０００２】
従来、農業従事者が田畑へ農薬や肥料などの薬液を散布する器具として、特許文献１のように動力源を有する機械式のものや、特許文献２のように薬液を容器に入れて散布する手動式のものがあり、農業従事者は適宜これらを携帯し、畦畔を移動しながら薬液を田畑に散布する。
【０００３】
【特許文献１】実用新案登録第３０７０２８３号公報
【特許文献２】特開平９−１８８３６３号公報
【考案の開示】
【考案が解決しようとする課題】
【０００４】
しかし、田畑への薬液の散布において特許文献１に記載されているような機械式の散布器具は散布作業の利便性は高いが高価であり、器具が金属製の場合は薬液による劣化損傷に対しての器具洗浄や部品交換を要する。また、モーターやバッテリーなどの駆動源を有する散布器具を携帯し、畦畔を移動しながら田畑へ行う薬液散布は駆動源による重量と不安定な足場である畦畔の移動は農業従事者へ大きな負担となる。
【０００５】
また、特許文献２に記載されているような手動式の散布器具は、安価で散布作業が簡易であるが、薬液の散布範囲が狭いため、作業者の移動範囲が広がり、多くの作業時間を要する。また、散布した薬液が手元にかかるおそれがある。
【０００６】
本考案は、上記の点に鑑みて提案されたものであって、その目的は、簡易な構造で安価に製造が可能で、田畑への薬液散布の作業負担を軽減する手動圧縮式の簡易噴射器具を提供することである。
【課題を解決するための手段】
【０００７】
本考案の手動圧縮式の簡易噴射器具は、前端に噴射ノズル、後端に第１逆止弁を設けた内管と、前端にブッシュ、後端に第２逆止弁を設けた外管と、を備え、前記ブッシュに、前記内管をその第１逆止弁側から摺動自在に連結することにより、前記内管が前記外管に対して軸方向に往復運動を行い、前記外管から前記内管を前進させることで液体を前記外管内に吸入し、前記内管を前記外管に向かって後退させることで、前記吸入された液体を前記噴射ノズルから噴射すること、を特徴とするものである。
【０００８】
また、本考案の手動圧縮式の簡易噴射器具は、内管にハンドルを設けて、ハンドルと外管をそれぞれの手で把持し、内管を外管に対して摺動させることによる前後の往復運動を行うことが好ましい。
【０００９】
外管と内管は耐薬品性のプラスチックで構成されることが好ましい。
【００１０】
なお、外管に対して相対的に往復運動を行うのを容易にするため、内管にハンドルを設けているが、内管だけでなく外管にもハンドルを設けて、内管と外管のそれぞれに設けられたハンドルを把持し、内管を外管に対して前後に往復運動することによって液体の噴射を行ってもよい。また、内管を外管に向かって後退させることによって噴射される薬液が、内管のハンドルを把持する手にかからないように、内管のハンドルの前に噴射液の飛散を防ぐ傘を設けることが好ましい。
【００１１】
外管のブッシュにＯリングを内設することにより、内管が外管に対して摺動することが好ましい。なお、Ｏリングは耐薬品性のプラスチックでもゴム製のどちらを使用してもよい。
【００１２】
内管と外管それぞれに設けられている逆止弁は、穴あきのキャップにボールと該ボールを係止する係止具が設けられた玉弁であり、外管の逆止弁は外部からホースを繋げるのを容易にするために、筒口が設けられていることが好ましい。なお、逆止弁の係止具については、耐薬品性のプラスチックでもよいが、堅牢性を考慮して金属製としてもよい。
【００１３】
内管の全長は外管の全長に対して、例えば、１．１〜１．３倍であることが好ましい。
【００１４】
また、当業者に自明な範囲で上記の本考案の構成要件を適宜調整しても構わない。
【考案の効果】
【００１５】
以上のような手動圧縮式の簡易噴射器具によれば、構造が簡易であることから安価に製造・提供が可能であり、また、軽量であることから薬液散布を行う農業従事者への作業負担の軽減を図ることができる。
【考案を実施するための最良の形態】
【００１６】
本考案における好適な実施の形態について、添付図面を参照して説明する。
【００１７】
図１、２に示すように、本考案の手動圧縮式の簡易噴射器具１（以下、単に簡易噴射器具１という。）は、内管２と、この内管２よりも大きな径を備えた外管３と、を備えている。内管２は前端に噴射ノズル４と傘５、後端に第１逆止弁６、噴射ノズル４に近い側にハンドル７が設けられている。外管３は前端にブッシュ８、後端に第２逆止弁９が設けられている。ブッシュ８に、内管２をその第１逆止弁６側で摺動自在に連結することにより、内管２が外管３に対して軸方向に往復運動を行い、外管３から内管２を前進させることで液体を外管３内に吸入し、内管２を外管３に向かって後退させることで、前記吸入された液体を噴射ノズル４から噴射することを特徴とする。以下、各要素の詳細を説明する。なお、以下に説明する詳細は、実用新案登録請求の範囲に記載された本考案の内容を限定するものではない。また、以下に説明される構成の全てが、本考案の必須要件であるとは限らない。
【００１８】
内管２は円筒部２０を備え、円筒部２０の前端の内周面に形成された雌ねじが噴射ノズル４の後端の外周面に形成された雄ねじと螺合し、円筒部２０の後端の内周面に形成された雌ねじが第１逆止弁６の外周面に形成された雄ねじと螺合するようになっている。円筒部２０に液体の第１収容室２１が形成されている。円筒部２０の外表面には軸方向に所定の目盛り（図示略）が形成されている。
【００１９】
外管３は円筒部３０を備え、円筒部３０の前端の内周面に形成された雌ねじがブッシュ８の後端の外周面に形成された雄ねじと螺合し、円筒部３０の後端の内周面に形成された雌ねじが第２逆止弁９の外周面に形成された雄ねじと螺合するようになっている。円筒部３０に液体の第２収容室３１が形成されている。
【００２０】
したがって、内管２に設けられた噴射ノズル４と第１逆止弁６と、外管３に設けられたブッシュ８と第２逆止弁９は、それぞれ螺合によって着脱自在となっている。なお、内管２への噴射ノズル４と第１逆止弁６、外管３へのブッシュ８と第２逆止弁９の装着については螺合に限定せず、他の装着手段、例えば、嵌合による装着、或いは、円筒部に前後の端部に窪みを、円筒部に装着する各部材の端部に爪部を形成し、爪部を窪みに嵌めて係止することで円筒部に部材を装着してもよい。
【００２１】
噴射ノズル４は、入口４１と、軸方向に形成された噴射孔４２を備えている。
【００２２】
傘５が内管２の前端に取り付けられ、傘５は、前方に向かってその径が拡大しており、噴射ノズル４を包囲するように設けてある。
【００２３】
第１逆止弁６は筒体で、後端は内径が狭まっている入口６ａと、切り欠け部が設けられたリング状の係止具６ｂと、入口６ａの内径よりも直径が大きく設定してあるボール６ｃと、係止具６ｂとボール６ｃとを収容する収容室６ｄと、入口６ａよりも内径が広く前端部に形成し係止具６ｂが固定された出口６ｅと、を備えている。ボール６ｃが係止具６ｂから前方に抜けないようにされ、また、入口６ａから後方に抜けないようにしてある。入口６ａと出口６ｅの間で、前方から順に、係止具６ｂ、ボール６ｃの順で配置してある。このボール６ｃは入口６ａと係止具６ｂの間を移動する。係止具６ｂは、ボール６ｃと出口６ｅの間に隙間を形成するものであり、出口６ｅが閉塞しないようにするものである。
【００２４】
第２逆止弁９は筒体で、第１逆止弁６と同様の構造を備えているので、説明は前記を援用し、番号を９番台に変更してある。相違点は、第２逆止弁９の内径および外径が第１逆止弁６よりも大きく、また、入口９ａは内壁に設けた単なる穴ではなく、径の小さな後方に延び出す導管を備えている点である。
【００２５】
ブッシュ８にはＯリング８１が内設されており、内管２は第１逆止弁６側から外管３にブッシュ８を通して挿入し、内管２がＯリング８１と摺動するようにして、外管３に対して内管２を前後（図１の左右の矢印方向）の往復運動を行うことで、簡易噴射器具１の全長が伸縮するようになっている。第１逆止弁６とブッシュ８とは掛止される構造６５を備え、内管２を外管３に対して前進させたときに、内管２が外管３から抜けないように規制するようになっている。具体的には、構造６５は、円筒部２０の外径よりも大径の円筒形の段部が挙げられるが限定されるわけではない。
【００２６】
簡易噴射器具１は係止具６ｂ、９ｂの形状は、切り欠け部が設けられたリングであるが、ボール６ｃ、９ｃがそれぞれの逆止弁６、９の収容室６ｄ、９ｄから外に出ないものであれば、特に限定しなくてもよい。簡易噴射器具１を構成する各部の材料について、Ｏリング８１がゴム製で、係止具６ｂ、９ｂが金属製であることを除いて、全て薬品に対して耐性を持つプラスチックである。円筒部２０、３０は強度の点から、塩化ビニール樹脂が好ましい。また、内管２と外管３の全長について、内管２は４０〜６０ｃｍ、外管３は４０〜６０ｃｍであるものが例示されるが限定されるわけではない。
【００２７】
次に簡易噴射器具１の動作について説明する。
【００２８】
図１〜２に示すように、ホース１０の一端を簡易噴射器具１の入口９ａに接続し、薬液１１入りの容器１２に入れる。次に図３に示すように、容器１２の肩ヒモ１２ａを農業従事者１３の肩に掛けて携帯し、左右それぞれの手で簡易噴射器具１のハンドル７と外管３を把持する。
【００２９】
ハンドル７と外管３のそれぞれを把持し、外管３から内管２を前進（図１の左方向に移動）させることにより、ボール６ｃが入口６ａに嵌まることで第１逆止弁６は閉じ、ボール９ｃは入口９ａから離れ、係止具９ｂに引っ掛かり、ボール９ｃと出口９ｅの隙間が形成されることで第２逆止弁９が開く。こうして、容器１２の薬液１１はホース１０を通じて、入口９ａから収容室９ｄを経て第２収容室３１の中に薬液１１は収容される。なお、薬液の吸入量は外管３から内管２を前進させた長さに比例することから、吸入量の目安として目盛り（図示略）をすることができるので、散布効率、正確性が高くなる。
【００３０】
こうして、薬液１１が吸入されると、外管３に向かって内管２を後退（図１の右方向に移動）させることで、ボール６ｃが入口６ａから離れ第１逆止弁６が開き、ボール９ｃは入口９ａに嵌まることで第２逆止弁９が閉じ、第２逆止弁９の第２収容室３１に収容されている薬液１１は圧送されて入口６ａを介して第１逆止弁６を通過し、さらに第１収容室２１を通過し、噴射ノズル４の入口４１から噴射孔４２を通過し、薬液１１が外部に噴射される。
【００３１】
以上のようにして、農業従事者１３は畦畔１４を移動し、簡易噴射器具１を用いて目標に向かって噴射することで、水田１５へ薬液１１を散布する。なお、本実施形態では簡易噴射器具は水田への薬液散布に用いているが、畑への薬液散布に使用してもよい。
【００３２】
また、農業従事者１３が簡易噴射器具１の把持することについて、ハンドル７を内管２だけに設けず、外管３にもハンドル１６を設けて（図２の点線部参照）、ハンドル７、１６をそれぞれの手で把持して、外管３に対して内管２を前後に往復運動して薬液１１を吸入、噴射してもよい。
【００３３】
本実施形態の簡易噴射器具１は簡易な構造であることから安価に製造、提供が可能で、洗浄などの器具の管理維持を容易に行うことができる。また、簡易噴射器具１は材料に薬液に耐性を持つ塩化ビニールを用いていることから、薬液による劣化損傷を防止し長期にわたって使用可能であり、ハンドル７の前に傘５を設けることで、噴射される薬液１１がハンドル７を把持する手にかかるのを防止している。
【００３４】
手動による薬液散布であることから、エンジン、モーター、バッテリーなどの駆動源が不要であり、器具を携帯して薬液１１の散布を行う農業従事者１３にかかる重量負担を軽減し、散布作業の効率向上を図ることができる。
【００３５】
なお、上記実施形態において、本考案の態様を実施するに当たって、本考案者により採用された技術の代表例である。これら技術は本考案を実施するための好ましい実施形態の例示である。また、本技術分野に属する者は、本考案の開示に鑑みて、本考案の精神及び意図された要旨から離れることなく多数の改変・追加等が可能である。
【図面の簡単な説明】
【００３６】
【図１】本考案実施形態の手動圧縮式の簡易噴射器具とホースと容器の外観構成斜視図である。
【図２】本考案実施形態の手動圧縮式の簡易噴射器具の縦断面図である。
【図３】本考案実施形態の手動圧縮式の簡易噴射器具を使用した散布作業の説明図である。
【符号の説明】
【００３７】
１・・・手動圧縮式の簡易噴射器具  ２・・・内管  ２０・・・円筒部
２１・・・第１収容室  ３・・・外管  ３０・・・円筒部  ３１・・・第２収容室
４・・・噴射ノズル  ４１・・・入口  ４２・・・噴射孔  ５・・・傘
６・・・第１逆止弁  ６ａ・・・入口  ６ｂ・・・係止具  ６ｃ・・・ボール
６ｄ・・・収容室  ６ｅ・・・出口  ６５・・・構造  ７・・・ハンドル  
８・・・ブッシュ  ８１・・・Ｏリング  ９・・・第２逆止弁  ９ａ・・・入口  
９ｂ・・・係止具  ９ｃ・・・ボール  ９ｄ・・・収容室  ９ｅ・・・出口
１０・・・ホース  １１・・・薬液  １２・・・容器  １２ａ・・・肩ヒモ  
１３・・・農業従事者  １４・・・畦畔  １５・・・水田  １６・・・ハンドル  
【図１】
0003147850.tif 000003
【図２】
0003147850.tif 000004
【図３】
0003147850.tif 000005